(57)【要約】【課題】  極力最新のプレゼンス情報を簡便に提供することを可能とするプレゼンス情報管理システムを提供すること。【解決手段】  このプレゼンス情報管理システム１０は、ユーザのプレゼンス情報を、ユーザ毎に格納するデータ格納部１５０と、ネットワーク４０から携帯電話機５０〜５３の通信状態を示す通信状態情報を取得する網情報取得部１０１と、当該取得した通信状態情報に基づいて、ユーザの状態を推測する状態推測部１０２と、当該推測したユーザの状態に基づいて、データ格納部１５０に格納されているプレゼンス情報を更新する状態更新部１０３と、を備える。【選択図】  図１
2006331200.tif 000002
【特許請求の範囲】
【請求項１】
ユーザの状態を示すプレゼンス情報を管理するためのプレゼンス情報管理システムであって、
前記ユーザのプレゼンス情報を、前記ユーザ毎に格納するプレゼンス情報格納手段と、
前記ユーザが使用する移動局が属する移動体通信網から、前記移動局の通信状態を示す通信状態情報を取得する網情報取得手段と、
当該取得した通信状態情報に基づいて、前記ユーザの状態を推測する状態推測手段と、
当該推測した前記ユーザの状態に基づいて、前記プレゼンス情報格納手段に格納されているプレゼンス情報を更新する状態更新手段と、
を備えるプレゼンス情報管理システム。
【請求項２】
前記状態推測手段が推測した前記ユーザの状態と、前記プレゼンス情報格納手段に格納されているプレゼンス情報が示す前記ユーザの状態との整合性が取れていない場合に、
前記状態更新手段は、前記状態推測手段が推測した前記ユーザの状態を優先させて前記プレゼンス情報格納手段に格納されているプレゼンス情報を更新する、ことを特徴とする請求項１に記載のプレゼンス情報管理システム。
【請求項３】
前記状態推測手段が推測した前記ユーザの状態と、前記プレゼンス情報格納手段に格納されているプレゼンス情報が示す前記ユーザの状態との整合性が取れていない場合に、
前記状態更新手段は、前記状態推測手段が推測した前記ユーザの状態と、前記プレゼンス情報格納手段に格納されているプレゼンス情報が示すユーザの状態とによって特定される更新プレゼンス情報を用いて前記プレゼンス情報格納手段に格納されているプレゼンス情報を更新する、ことを特徴とする請求項１に記載のプレゼンス情報管理システム。
【請求項４】
ユーザの状態を示すプレゼンス情報を管理するためのプレゼンス情報管理方法であって、
網情報取得手段が、前記ユーザが使用する移動局が属する移動体通信網から、前記移動局の通信状態を示す通信状態情報を取得する網情報取得ステップと、
状態推測手段が、当該取得した通信状態情報に基づいて、前記ユーザの状態を推測する状態推測ステップと、
当該推測した前記ユーザの状態に基づいて、状態更新手段がプレゼンス情報格納手段に格納されているプレゼンス情報を更新する状態更新ステップと、
を備えるプレゼンス情報管理方法。
【発明の詳細な説明】
【技術分野】
【０００１】
本発明は、ユーザの状態を示すプレゼンス情報を管理するためのプレゼンス情報管理システム及びプレゼンス情報管理方法に関する。
【背景技術】
【０００２】
ユーザの状態を示すプレゼンス情報を第三者に提供するサービスが提供されている。このプレゼンス情報は、ユーザが入力したデータに基づいて設定・更新されるものとなっている。
【特許文献１】特開２００５−３８２０６号公報
【発明の開示】
【発明が解決しようとする課題】
【０００３】
ところで、ユーザの入力によらざるを得ない従来システムの場合、ユーザが更新を失念した場合には古いプレゼンス情報が提供されることになる。一方、最新のプレゼンス情報を提供することにのみ主眼を置いた場合には、そのシステムは複雑極まりないものとなり得る。
【０００４】
そこで本発明は、極力最新のプレゼンス情報を簡便に提供することを可能とするプレゼンス情報管理システム及びプレゼンス情報管理方法を提供することを目的とする。
【課題を解決するための手段】
【０００５】
本発明に係るプレゼンス情報管理システムは、ユーザの状態を示すプレゼンス情報を管理するためのプレゼンス情報管理システムであって、ユーザのプレゼンス情報を、ユーザ毎に格納するプレゼンス情報格納手段と、ユーザが使用する移動局が属する移動体通信網から、移動局の通信状態を示す通信状態情報を取得する網情報取得手段と、当該取得した通信状態情報に基づいて、ユーザの状態を推測する状態推測手段と、当該推測したユーザの状態に基づいて、プレゼンス情報格納手段に格納されているプレゼンス情報を更新する状態更新手段と、を備える。
【０００６】
本発明によれば、移動局が圏外又は圏内か、移動局が通信中又は待ち受け中か、といった移動局の状態全般を含む通信状態情報に基づいて推測されるユーザの状態に基づいて、予め格納されているプレゼンス情報を更新するので、例えば、ユーザがプレゼンス情報の更新を失念した場合であってもプレゼンス情報を更新することができる。
【０００７】
また本発明に係るプレゼンス情報管理システムでは、状態推測手段が推測したユーザの状態と、プレゼンス情報格納手段に格納されているプレゼンス情報が示すユーザの状態との整合性が取れていない場合に、状態更新手段は、状態推測手段が推測したユーザの状態を優先させて前記プレゼンス情報格納手段に格納されているプレゼンス情報を更新することも好ましい。ユーザが使用する移動局の通信状態から推測されるユーザの状態を優先させて、予め格納されているプレゼンス情報を更新するので、より的確なプレゼンス情報に更新することができる。
【０００８】
また本発明に係るプレゼンス情報管理システムでは、状態推測手段が推測したユーザの状態と、プレゼンス情報格納手段に格納されているプレゼンス情報が示すユーザの状態との整合性が取れていない場合に、状態更新手段は、状態推測手段が推測したユーザの状態と、プレゼンス情報格納手段に格納されているプレゼンス情報が示すユーザの状態とによって特定される更新プレゼンス情報を用いてプレゼンス情報格納手段に格納されているプレゼンス情報を更新することも好ましい。状態推測手段が推測したユーザの状態と、プレゼンス情報格納手段に格納されているプレゼンス情報が示すユーザの状態とによって特定される更新プレゼンス情報を用いてプレゼンス情報を更新するので、より的確なプレゼンス情報に更新することができる。
【０００９】
本発明のプレゼンス情報管理方法は、ユーザの状態を示すプレゼンス情報を管理するためのプレゼンス情報管理方法であって、網情報取得手段が、ユーザが使用する移動局が属する移動体通信網から、移動局の通信状態を示す通信状態情報を取得する網情報取得ステップと、状態推測手段が、当該取得した通信状態情報に基づいて、ユーザの状態を推測する状態推測ステップと、当該推測した前記ユーザの状態に基づいて、状態更新手段がプレゼンス情報格納手段に格納されているプレゼンス情報を更新する状態更新ステップと、を備える。
【００１０】
本発明によれば、移動局が圏外又は圏内か、移動局が通信中又は待ち受け中か、といった移動局の状態全般を含む通信状態情報に基づいて推測されるユーザの状態に基づいて、予め格納されているプレゼンス情報を更新するので、例えば、ユーザがプレゼンス情報の更新を失念した場合であってもプレゼンス情報を更新することができる。
【発明の効果】
【００１１】
本発明によれば、ユーザの更新意図によらずに、ユーザが使用する移動局の通信状態に基づいてプレゼンス情報を更新することができる。従って、極力最新のプレゼンス情報を簡便に提供することが可能となる。
【発明を実施するための最良の形態】
【００１２】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
本発明の実施形態であるプレゼンス情報管理システムについて図１を参照しながら説明する。図１は、プレゼンス情報管理システム１０の構成を示す図である。本実施形態では、ネットワーク４０（移動体通信網）に接続可能な携帯電話機５０，５１，５２，５３（移動局）それぞれを使用するユーザのプレゼンス情報を管理することを例にとって説明する。尚、プレゼンス情報とはユーザの状態を示す情報全般を含むものとする。
【００１４】
プレゼンス情報管理システム１０は、物理的には、ネットワーク４０とそれぞれ情報通信可能なように接続されているコンピュータ（又は複数のコンピュータによって構成されるコンピュータシステム）である。
【００１５】
プレゼンス情報管理システム１０は、機能的な構成要素として、網情報取得部１０１（網情報取得手段）と、状態推測部１０２（状態推測手段）と、状態更新部１０３（状態更新手段）と、設定情報受信部１０４と、データ格納部１５０（プレゼンス情報格納手段）と、を備えている。引き続いて、各構成要素について説明する。
【００１６】
網情報取得部１０１は、ネットワーク４０から携帯電話機５０〜５３の通信状態を示す通信状態情報を取得する部分である。通信状態情報の種類としては、「圏外」「通話中」「運転中」「番号通知お願い」「着信拒否」「通話上限超過」「発信側キャンセル」「ローミング中」「ユーザ不参加」といったものがあり、携帯電話機５０〜５３の状態を広範に示す情報を含んでいる。網情報取得部１０１は、取得した通信状態情報を、携帯電話機５０〜５３それぞれを特定する情報と共に状態推測部１０２へ出力する。
【００１７】
状態推測部１０２は、網情報取得部１０１が取得した通信状態情報に基づいて、携帯電話機５０〜５３それぞれのユーザの状態を推測し、その結果を状態更新部１０３へ出力する部分である。より具体的には、通信状態情報が「圏外」である場合、携帯電話機５０〜５３がネットワーク４０のサービスエリア外に出ていることを示しているので、状態推測部１０２は、ユーザの状態を「通話不能」であると推測する。
【００１８】
また、通信状態情報が「通話中」である場合、状態推測部１０２は、ユーザの状態を「他の通話中」であって「通話不能」であると推測する。通信状態情報が「運転中」である場合、状態推測部１０２は、ユーザの状態を「運転中」であって「通話不能」であると推測する。通信状態情報が「番号通知お願い」である場合、状態推測部１０２は、ユーザの状態を「番号通知を要求」しており、「要求に応じない場合は通話不能」であると推測する。通信状態情報が「着信拒否」である場合、状態推測部１０２は、ユーザの状態を「通話不能」であると推測する。通信状態情報が「通話上限超過」である場合、状態推測部１０２は、ユーザの状態を「予め定められた通話リミットを越えていて」「発信不能」であり、「着信は可能」であると推測する。通信状態情報が「発信側キャンセル」である場合、状態推測部１０２は、ユーザの状態を「ユーザの操作によって」「着信不能」状態となっていると推測する。
【００１９】
また、通信状態情報が「ローミング中」である場合、状態推測部１０２は、ユーザの状態を「他の通信事業者（海外含む）」のサービスエリアに在圏しており、「条件付で通話可能」であると推測する。通信状態情報が「ユーザ不参加」である場合、状態推測部１０２は、ユーザの状態を「多者通話には参加しておらず」「一時的に通話不能」であると推測する。
【００２０】
状態更新部１０３は、状態推測部１０２が推測したユーザの状態に基づいて、データ格納部１５０に格納されているユーザのプレゼンス情報を更新する部分である。状態更新部１０３は、状態推測部１０２が推測したユーザの状態と、データ格納部１５０に格納されているプレゼンス情報が示すユーザの状態とを比較し、それらの整合性が取れていない場合にデータ格納部１５０に格納されているプレゼンス情報を更新する。
【００２１】
ここで、データ格納部１５０に格納されている情報の例を図２に示す。図２の（Ａ）は更新前の情報の例を示している。図２の（Ａ）に示す例に拠れば、データ格納部１５０には「ユーザ名」「使用端末」「プレゼンス情報」がそれぞれ関連付けられて格納されている。図２の（Ａ）の状態では、携帯電話機５０のユーザ５０は「社内通話ＯＫ」となっており、ユーザ５０は会社内にいて通話可能であることを示している。また、携帯電話機５１のユーザ５１は「社外通話ＯＫ」となっており、ユーザ５１は会社外にいて通話可能であることを示している。また、携帯電話機５２のユーザ５２は「会議中」となっており、ユーザ５２は会社内にいて通話不可能であることを示している。また、携帯電話機５３のユーザ５３は「会議中」となっており、ユーザ５３は会社内にいて通話不可能であることを示している。
【００２２】
状態更新部１０３は、状態推測部１０２が推測したユーザの状態と、データ格納部１５０に格納されているプレゼンス情報が示すユーザの状態とを比較し、それらの整合性が取れていない場合にデータ格納部１５０に格納されているプレゼンス情報を更新する際、二つの手法によって更新を行う。
【００２３】
プレゼンス情報更新の第１の手法は、状態推測部１０２が推測したユーザの状態を優先させて、データ格納部１５０に格納されているプレゼンス情報を更新するものである。図３は、状態更新部１０３がプレゼンス情報を更新する手法を説明するための図であり、図３の（Ａ）は、第１の手法を説明するための図である。例えば、網情報取得部１０１が取得した通信状態情報が「圏外」である場合、ユーザの状態は「通話不能」であると推測されるので、データ格納部１５０に格納されているプレゼンス情報の如何によらず、状態更新部１０３は更新後プレゼンス情報として「不在」を選択して更新する。図２の（Ｂ）は、この第１の手法に基づいて、状態更新部１０３がユーザ５０のプレゼンス情報を「不在」に更新した状態を示している。
【００２４】
同様に、通信状態情報が「通話中」である場合、ユーザの状態は「他の通話中」であって「通話不能」であると推測されるので、状態更新部１０３は更新後プレゼンス情報として「他の通話中」を選択して更新する。また、通信状態情報が「運転中」である場合、ユーザの状態は「運転中」であって「通話不能」であると推測されるので、状態更新部１０３は更新後プレゼンス情報として「運転中」（又はドライブモードを示すマーク）を選択して更新する。
【００２５】
また、通信状態情報が「番号通知お願い」である場合、ユーザの状態は「番号通知を要求」しており、「要求に応じない場合は通話不能」であると推測されるので、状態更新部１０３は更新後プレゼンス情報として「通知促しコメント」を付記するように更新する。また、通信状態情報が「着信拒否」である場合、ユーザの状態は「通話不能」であると推測されるので、状態更新部１０３は更新後プレゼンス情報として「通話不能を示唆するコメント」を付記するように更新する。
【００２６】
また、通信状態情報が「通話上限超過」である場合、ユーザの状態は「予め定められた通話リミットを越えていて」「発信不能」であり、「着信は可能」であると推測されるので、状態更新部１０３は更新後プレゼンス情報として「着信のみ可能」を選択する。また、通信状態情報が「発信側キャンセル」である場合、ユーザの状態は「ユーザの操作によって」「着信不能」状態となっていると推測されるので、状態更新部１０３は更新後プレゼンス情報として「一時的に通話不可」を選択する。
【００２７】
尚、状態更新部１０３が「通知促しコメント」を付記するように更新した例を図２の（Ｃ）に示す。図２の（Ｃ）に示すように、ユーザ５０は当初「社内通話ＯＫ」というプレゼンス情報だったものが、「社内通話ＯＫ（通知促し）」というプレゼンス情報に更新されている。
【００２８】
プレゼンス情報更新の第２の手法は、状態推測部１０２が推測したユーザの状態と、データ格納部１５０に格納されているプレゼンス情報が示すユーザの状態とによって特定される更新プレゼンス情報を用いてプレゼンス情報を更新するものである。図３の（Ｂ）は、第２の手法を説明するための図である。例えば、網情報取得部１０１が取得した通信状態情報が「ローミング」であって、データ格納部１５０に格納されているプレゼンス情報が「通話ＯＫ」である場合、ユーザの状態としては海外にいて通話可能であると推測されるので、状態更新部１０３は更新後プレゼンス情報として「海外出張中」を選択する。このように更新した例を図２の（Ｄ）に示す。図２の（Ｄ）に示すように、ユーザ５１は当初「社外通話ＯＫ」というプレゼンス情報だったものが、「海外出張中」というプレゼンス情報に更新されている。
【００２９】
また、網情報取得部１０１が取得した通信状態情報が「ユーザ不参加」であって、データ格納部１５０に格納されているプレゼンス情報が「通話ＯＫ」である場合、ユーザの状態は「多者通話には参加しておらず」「一時的に通話不能」であるけれども、今は電話に出ることができないと推測されるので、状態更新部１０３は更新後プレゼンス情報として「取り込み中」を選択する。また、網情報取得部１０１が取得した通信状態情報が「通話中」であって、データ格納部１５０に格納されているプレゼンス情報が「休暇、帰宅」である場合、ユーザの状態は仕事ではなく通話中であると推測されるので、状態更新部１０３は更新後プレゼンス情報として「仕事時間以外の通話中」を選択する。
【００３０】
データ格納部１５０に格納されているユーザのプレゼンス情報は要求に応じて適宜出力・送信される。従って、図示しない送信手段によって、携帯電話機５０〜５３に他のユーザのプレゼンス情報を送信することも可能であり、携帯電話機５０〜５３において受信したプレゼンス情報を表示することが可能である。
【００３１】
設定情報受信部１０４は、携帯電話機５０〜５３それぞれから送信される、それぞれのユーザが入力した設定用のプレゼンス情報を受信し、状態更新部１０３に出力する部分である。状態更新部１０３はこの出力に応じて、データ格納部１５０に格納されているプレゼンス情報をマニュアル更新する。
【００３２】
続いて、プレゼンス情報管理システム１０を利用したプレゼンス情報管理方法について図４を参照しながら説明する。図４はプレゼンス情報管理システム１０を利用したプレゼンス情報管理方法を説明するためのフロー図である。
【００３３】
状態更新部１０３は、設定情報受信部１０４が設定用のプレゼンス情報を受信したか判断する（ステップＳ０１）。受信していれば、状態更新部１０３はデータ格納部１５０に格納されているプレゼンス情報をマニュアル更新する（ステップＳ０２）。
【００３４】
続いて、網情報取得部１０１は通信状態情報を受信したか判断する。網情報取得部１０１は通信状態情報を受信していれば状態推測部１０２に出力し、受信していなければ処理を終了する（ステップＳ０３、網情報取得ステップ）。
【００３５】
続いて、状態推測部１０２は、通信状態情報に基づいてユーザの状態を推測する（ステップＳ０４、状態推測ステップ）。状態推測部１０２は、推測したユーザの状態を状態更新部１０３に出力する。
【００３６】
続いて、状態更新部１０３は、状態推測部１０２が推測したユーザの状態と、データ格納部１５０に格納されているプレゼンス情報が示すユーザの状態とが整合しているか判断する（ステップＳ０５、状態更新ステップ）。整合していれば、状態更新部１０３は処理を終了する。
【００３７】
状態推測部１０２が推測したユーザの状態と、データ格納部１５０に格納されているプレゼンス情報が示すユーザの状態とが整合していない場合、状態推測部１０２はデータ格納部１５０に格納されているプレゼンス情報を更新する（ステップＳ０６、状態更新ステップ）。
【００３８】
本実施形態によれば、携帯電話機５０〜５３が圏外又は圏内かといった携帯電話機の状態全般を含む通信状態情報に基づいて推測されるユーザの状態に基づいて、予め格納されているプレゼンス情報を更新するので、例えば、ユーザがプレゼンス情報の更新を失念した場合であってもプレゼンス情報を的確に更新することができる。
【図面の簡単な説明】
【００３９】
【図１】本発明の実施形態であるプレゼンス情報管理システムの構成を示す図である。
【図２】図１のデータ格納部に格納される情報の例を示した図である。
【図３】図１の状態更新部の情報処理内容を説明するための図である。
【図４】本発明の実施形態であるプレゼンス情報管理システムを利用したプレゼンス情報管理方法を説明するための図である。
【符号の説明】
【００４０】
１０…プレゼンス情報管理システム、４０…ネットワーク、５０，５１，５２，５３…携帯電話機、１０１…網情報取得部、１０２…状態推測部、１０３…状態更新部、１０４…設定情報受信部、１５０…データ格納部。
【図１】
2006331200.tif 000003
【図２】
2006331200.tif 000004
【図３】
2006331200.tif 000005
【図４】
2006331200.tif 000006